(57)【特許請求の範囲】
【請求項１】
複数種の内容物が収容された収容部を有する容器本体と、
容器本体に開閉自在に連結された蓋体と、
容器本体と蓋体との間に配設され、前記収容部を覆う中敷シートと、
を備えるコンパクト容器であって、
中敷シートは、当該中敷シートの表面に沿う方向のうちの一方向に延びる固定部を介して容器本体に固定され、前記固定部を境として一方側の部分と他方側の部分とが異なる内容物が収容された領域を覆っており、
前記固定部は、前記容器本体の底壁部との間に隙間を空けて配置されている
ことを特徴とするコンパクト容器。
【請求項２】
前記中敷シートの前記一方側の部分と前記他方側の部分とのそれぞれに、容器本体あるいは容器本体に固定された部材に対して離脱自在に係止される係止片が形成されていることを特徴とする請求項１記載のコンパクト容器。
【請求項３】
前記中敷シートの前記一方側の部分と前記他方側の部分とのそれぞれに、係止片の容器本体あるいは容器本体に固定された部材に対する係止を外す取手部が形成されていることを特徴とする請求項２記載のコンパクト容器。
【請求項４】
前記中敷シートは、前記一方向に沿って全長にわたって延びると共に当該中敷シートを２つに折曲変形可能な折曲部を有し、当該折曲部が前記固定部により固定されていることを特徴とする請求項１〜３いずれか一項に記載のコンパクト容器。
【請求項５】
容器本体の底部に支持されると共に前記収容部を複数の領域に区画する仕切部材を有し、
前記固定部は、前記仕切部材に両方の端部のうちの一方が固定されることにより片持ち支持されていることを特徴とする請求項１〜４いずれか一項に記載のコンパクト容器。
【請求項６】
前記折曲部が、前記固定部と前記容器本体の底壁部との間に介挿されていることを特徴とする請求項４記載のコンパクト容器。
【発明の詳細な説明】
【技術分野】
【０００１】
本発明は、コンパクト容器に関するものである。
【背景技術】
【０００２】
例えば、特許文献１には、内容物である化粧料を覆う中敷シート（カバー体）を有するコンパクト容器が開示されている。このような中敷シートを設けることにより、内容物が容器本体に開閉自在に連結された蓋部等に付着することを抑止することができる。
【先行技術文献】
【特許文献】
【０００３】
【特許文献１】特開２００７−１６７３４１号公報
【発明の概要】
【発明が解決しようとする課題】
【０００４】
しかしながら、容器本体の収容部に複数種の内容物を収容する場合に、特許文献１に示すように１枚の中敷シートによって全ての内容物を覆うようにすると、中敷シートを持ち上げたときに、全ての内容物が露出されることになる。このため、塗布具等により、いずれかの内容物を取り出す際に、この内容物が他の内容物に付着し、異なる種類の内容物同士が混ざり合うおそれがあった。
【０００５】
本発明は、上述する問題点に鑑みてなされたもので、収容部に収容された複数種の内容物同士が混ざり合うことを抑止することができるコンパクト容器を提供することを目的とする。
【課題を解決するための手段】
【０００６】
本発明に係るコンパクト容器は、複数種の内容物が収容された収容部を有する容器本体と、容器本体に開閉自在に連結された蓋体と、容器本体と蓋体との間に配設され、上記収容部を覆う中敷シートと、を備えるコンパクト容器であって、中敷シートは、当該中敷シートの表面に沿う方向のうちの一方向に延びる固定部を介して容器本体に固定され、上記固定部を境として一方側の部分と他方側の部分とが異なる内容物が収容された領域を覆っていることを特徴とする。
【０００７】
本発明に係るコンパクト容器によれば、中敷シートの表面に沿って延びる固定部を介して中敷シートが容器本体に対して固定されている。このため、中敷シートのうち固定部の配設された部分を折曲することで、固定部を境として中敷シートの一方側の部分と他方側の部分とを別個に開くことができる。また、本発明に係るコンパクト容器においては、中敷シートの上記一方側の部分と上記他方側の部分とが異なる内容物が収容された領域を覆っている。
このような本発明に係るコンパクト容器によれば、中敷シートの一方側の部分のみを内容物を露出させるように開くことにより、中敷シートの他方側の部分によって覆われた内容物を露出させることなく、中敷シートの一方側の部分によって覆われていた内容物のみを露出させることができる。これにより、収容部に収容された複数種の内容物同士が混ざり合うことを抑止することができる。
【０００８】
また、本発明に係るコンパクト容器では、上記中敷シートの上記一方側の部分と上記他方側の部分とのそれぞれに、容器本体あるいは容器本体に固定された部材に対して離脱自在に係止される係止片が形成されていることが好ましい。
【０００９】
これにより、中敷シートの一方側の部分のみを開く場合であっても、中敷シートの他方側の部分を容器本体あるいは容器本体に固定された部材に対して係止させておくことができ、一方側の部分の開放動作に伴って他方側の部分が意図せずに容器本体あるいは容器本体に固定された部材から離間することを防止することができる。また、同様に、中敷シートの他方側の部分の開放動作に伴って一方側の部分が意図せずに容器本体あるいは容器本体に固定された部材から離間することを防止することができる。このため、より確実に収容部に収容された複数種の内容物同士が混ざり合うことを抑止することができる。
また、中敷シートの一方側の部分と他方側の部分との両方の係止片を容器本体あるいは容器本体に固定された部材に係止させておくことにより、蓋体を容器本体に対して開閉させる際に意図せず中敷シートが容器本体あるいは容器本体に固定された部材から離間することを防止することができる。
【００１０】
また、本発明に係るコンパクト容器では、上記中敷シートの上記一方側の部分と上記他方側の部分とのそれぞれに、係止片の容器本体あるいは容器本体に固定された部材に対する係止を外す取手部が形成されていることが好ましい。
【００１１】
これにより、取手部を摘む等して引き上げることによって、係止片を容器本体あるいは容器本体に固定された部材から容易に取り外すことができ、容易に中敷シートの一方側の部分あるいは他方側の部分を開くことができるため、操作性が向上する。
【００１２】
また、本発明に係るコンパクト容器では、上記中敷シートは、上記一方向に沿って全長にわたって延びると共に当該中敷シートを２つに折曲変形可能な折曲部を有し、当該折曲部が上記固定部により固定されていることが好ましい。
【００１３】
これにより、折曲部を境として中敷シートを容易に２つに折曲することができる。さらに、折曲部が固定部により固定されているため、中敷シートは、固定部を境として容易に一方側の部分と他方側の部分とに分けて開閉することができる。
【００１４】
また、本発明に係るコンパクト容器では、容器本体の底部に支持されると共に上記収容部を複数の領域に区画する仕切部材を有し、上記固定部は、上記仕切部材に両方の端部のうちの一方が固定されることにより片持ち支持されていることが好ましい。
【００１５】
これにより、固定部が片持ち支持され、固定部の仕切部材に固定されていない側の端部側から固定部と容器本体の底部との間に中敷シートを容易に差し込むことができる。また、固定部と容器本体の底部との間に差し込まれた中敷シートを、固定部の仕切部材に固定されていない側の端部側から容易に引き抜くことができる。このため、中敷シートを容器本体に対して容易に着脱することができる。
【発明の効果】
【００１６】
本発明に係るコンパクト容器によれば、複数種の内容物が収容された収容部を有する容器本体と、容器本体に開閉自在に連結された蓋体と、容器本体と蓋体との間に配設され、上記収容部を覆う中敷シートと、を備えるコンパクト容器において、収容部に収容された複数種の内容物同士が混ざり合うことを抑止することができる。
【図面の簡単な説明】
【００１７】
【図１】本発明の一実施形態に係るコンパクト容器の下面図である。
【図２】図１のＡ−Ａ断面図である。
【図３】図１のＢ−Ｂ断面図である。
【図４】図２に示すコンパクト容器の端部近傍の拡大断面図である。
【図５】本発明の一実施形態に係るコンパクト容器が備える中敷シートの全体図であり、（ａ）が平面図であり、（ｂ）が側面図である。
【図６】本発明の一実施形態に係るコンパクト容器における中敷シートの動きを説明する断面図である。
【図７】本発明の一実施形態に係るコンパクト容器における中敷シートの着脱動作を説明する断面図である。
【図８】本発明の一実施形態に係るコンパクト容器の変形例を図１のＡ−Ａ線に相当する箇所で切断した断面図である。
【発明を実施するための形態】
【００１８】
以下、本発明の一実施形態にかかるコンパクト容器を、図面に基づいて説明する。なお、以下の説明に用いる各図面では、各部材を認識可能な大きさとするために縮尺を適宜変更している。
【００１９】
図１〜図３に示すように、コンパクト容器１は、容器本体２と、蓋体３と、開閉軸部４と、係止機構５と、仕切部材６、シート固定部７、中皿８と、中敷シート９とを備えている。なお、以下の説明において、便宜上、シート固定部７が延びている方向を前後方向とし、コンパクト容器１の厚み方向を上下方向とし、前後方向及び上下方向と直交する方向を左右方向と称する。
【００２０】
容器本体２は、内容物が収容された収容部を有する扁平矩形状の部材である。この容器本体２は、平面視矩形状の底壁部２０（底部）と、底壁部２０の外周縁のうち上記前後方向の両端に位置して上記左右方向に延びる一対の縁部から立設された第一側壁部２１及び第二側壁部２２と、底壁部２０の外周縁のうち上記左右方向の両端に位置して上記前後方向に延びる一対の縁部から立設された第三側壁部２３及び第四側壁部２４と、を備えている。このような容器本体２は、底壁部２０、第一側壁部２１、第二側壁部２２、第三側壁部２３及び第四側壁部２４によって囲まれた凹部２５を有している。この凹部２５が、内容物を収容する収容部とされている。
【００２１】
第一側壁部２１の上記左右方向における中央部には、蓋体３の後述する軸筒部３２が収容される軸筒部収容凹部２１ａが形成されている。また、第二側壁部２２の上記左右方向における中央部には、係止機構５の後述する操作片５０が配置される操作片配置凹部２２ａが形成されている。
【００２２】
また、容器本体２は、上記左右方向に沿って第三側壁部２３の外壁面から第一側壁部２１を貫通して軸筒部収容凹部２１ａに至る第一貫通孔２６と、上記左右方向に沿って第四側壁部２４の外壁面から第一側壁部２１を貫通して軸筒部収容凹部２１ａに至る第二貫通孔２７とを有している。第一貫通孔２６及び第二貫通孔２７は、軸筒部収容凹部２１ａに向けて段階的に縮径されている。これらの第一貫通孔２６及び第二貫通孔２７には、開閉軸部４が嵌入されている。
【００２３】
また、第一側壁部２１、第二側壁部２２、第三側壁部２３及び第四側壁部２４の凹部２５側の上端縁部には、第一側壁部２１、第二側壁部２２、第三側壁部２３及び第四側壁部２４に沿って平面視略環状に配設された段部２８が形成されている。この段部２８には、仕切部材６の後述するフランジ６０ａが嵌合される。
【００２４】
蓋体３は、容器本体２の凹部２５を開閉する部材であり、平面視矩形状に形成されている。図２及び図３に示すように、蓋体３は、蓋本体３０と、鏡体３１とを有している。蓋本体３０の下面のうち、容器本体２の凹部２５に対向する部分は窪んでいる。鏡体３１は、蓋本体３０の下面に固定され、蓋本体３０の窪んだ領域に配設されている。また、蓋本体３０のうち、第一側壁部２１に当接する縁部の中央部には、容器本体２の軸筒部収容凹部２１ａに嵌め込まれる軸筒部３２が突設されている。この軸筒部３２の上記左右方向の両端部には、開閉軸部４がその軸芯を中心として回転可能に挿入される挿入孔３２ａが形成されている。また、蓋本体３０のうち、第二側壁部２２に当接する縁部の中央部には、図２に示すように、係止機構５の操作片５０に係止される爪部３３が鏡体３１に向けて突設されている。
【００２５】
このような蓋体３は、開閉軸部４を介して容器本体２に連結されており、上記左右方向に延びる開閉軸部４を中心として回動自在とされている。このため、蓋体３は、係止機構５の操作片５０に対する爪部３３の係止が外れた状態にて、容器本体２の凹部２５を覆う姿勢と露出する姿勢との間で姿勢変更自在とされている。また、蓋体３は、係止機構５の操作片５０に爪部３３が係止された状態では、容器本体２に対しての回動が規制され、容器本体２の凹部２５を覆う姿勢に維持される。
【００２６】
開閉軸部４は、容器本体２の第一貫通孔２６と第二貫通孔２７とのそれぞれに、嵌入された棒状の部材である。つまり、開閉軸部４は、容器本体２に対して２つ嵌入されている。これらの開閉軸部４は、第一貫通孔２６と第二貫通孔２７の形状に合わせて先端に向かって段階的に縮径されている。さらに、開閉軸部４は、第一貫通孔２６と第二貫通孔２７よりも軸心方向の全長が長く、先端部が第一貫通孔２６と第二貫通孔２７から軸筒部収容凹部２１ａに突出している。この突出した先端部が蓋体３の軸筒部３２の挿入孔３２ａに挿入されている。これらの開閉軸部４は、軸筒部３２が回転自在となるように挿入孔３２ａに挿入されている。これによって、蓋体３が開閉軸部４の軸芯周りに回動自在に容器本体２に連結されている。
【００２７】
係止機構５は、図２に示すように、容器本体２の底壁部２０上であって、第二側壁部２２に近接した位置に立設されている。この係止機構５は、第二側壁部２２の操作片配置凹部２２ａに配設される操作片５０を有している。この操作片５０は、容器本体２の奥側に向けて押された場合に、手前側に復元変位可能に配設されている。このような操作片５０は、容器本体２の凹部２５を覆う姿勢とされた蓋体３の爪部３３に係止されることにより、蓋体３の容器本体２に対する回動を規制する。また、操作片５０を押圧することにより、爪部３３の操作片５０に対する係止が外れ、蓋体３が容器本体２に対して回動可能とされる。また、容器本体２の凹部２５を露出する姿勢から覆う姿勢に蓋体３を回動させた場合には、上方から当たる爪部３３により操作片５０が容器本体２の奥側に押され、爪部３３が通過した後に操作片５０が復元変位して爪部３３と係止される。
【００２８】
仕切部材６は、容器本体２の凹部２５を複数の区画に仕切る枠状の部材である。この仕切部材６は、容器本体２の第一側壁部２１、第二側壁部２２、第三側壁部２３及び第四側壁部２４に当接された状態で、容器本体２の底壁部２０上に載置されている。このような仕切部材６は、平面視において底壁部２０を露出するようにして凹部２５の内部を複数の区画に仕切っている。
【００２９】
仕切部材６についてより詳細に説明する。仕切部材６は、周壁部６０と、中央区画壁６１と、左側区画壁６３と、右側区画壁６４とを有している。周壁部６０は、容器本体２の第一側壁部２１、第二側壁部２２、第三側壁部２３及び第四側壁部２４に沿って形成される平面視矩形状の枠状の部位である。この周壁部６０の外側上縁部には、外方に向けて突出するフランジ６０ａが周方向にわたって形成されている。このフランジ６０ａが容器本体２の段部２８に嵌め合されることにより、仕切部材６が容器本体２に対して固定されている。
【００３０】
この周壁部６０の一部であり容器本体２の第三側壁部２３に沿う部位の中央部には、上記前後方向に沿って形成される左側スリット６０ｂが形成されている。図４に示すように、左側スリット６０ｂを挟んで上記左右方向に対向する部位同士のうち、周壁部６０の外側の部位の上端には、内側の部位に向けて水平に突設される左側シート係止爪６０ｃが形成されている。また、図３に示すように、周壁部６０の一部であり容器本体２の第四側壁部２４に沿う部位の中央部には、上記前後方向に沿って形成される右側スリット６０ｄが形成されている。右側スリット６０ｄを挟んで上記左右方向に対向する部位同士のうち、周壁部６０の外側の部位の上端には、内側の部位に向けて水平に突設される右側シート係止爪６０ｅが形成されている。また、周壁部６０の一部であり容器本体２の第二側壁部２２に沿う部位の内部には、係止機構５の操作片５０を除く部位を収容するための不図示の収容空間が形成されている。
【００３１】
中央区画壁６１は、周壁部６０の第一側壁部２１に沿う部位から第二側壁部２２に沿う部位にわたって架設され、上記左右方向における中央部にて上記前後方向に沿って直線状に配設されている。この中央区画壁６１は、左右方向に対向する左側壁部６１ａ及び右側壁部６１ｂと、これらの左側壁部６１ａ及び右側壁部６１ｂの上端同士を接続する天壁部６１ｃとを有する中空状の部位である。また、天壁部６１ｃには、上記前後方向に沿って形成されると共にシート固定部７が配置される開口部６１ｄが形成されている。このような中央区画壁６１は、容器本体２の凹部２５を左側の領域と、右側の領域とに区画している。なお、以下の説明では、中央区画壁６１によって区画された容器本体２の凹部２５の左側の領域を左側収容部Ｒａと称し、中央区画壁６１によって区画された容器本体２の凹部２５の右側の領域を右側収容部Ｒｂと称する。
【００３２】
左側区画壁６３は、周壁部６０の第一側壁部２１に沿う部位から第二側壁部２２に沿う部位にわたって架設され、左側収容部Ｒａを左右に二分するように上記前後方向に沿って形成されている。本実施形態のコンパクト容器１では、左側区画壁６３によって二分された左側収容部Ｒａの左側の領域が第一塗布具Ｔ１の収容領域とされており、左側収容部Ｒａの右側の領域が中皿８の収容領域とされている。
【００３３】
右側区画壁６４は、周壁部６０の第一側壁部２１に沿う部位から第二側壁部２２に沿う部位にわたって架設され、右側収容部Ｒｂを左右に二分するように上記前後方向に沿って形成されている。本実施形態のコンパクト容器１では、右側区画壁６４によって二分された右側収容部Ｒｂの右側の領域が第二塗布具Ｔ２の収容領域とされており、右側収容部Ｒｂの左側の領域が中皿８の収容領域とされている。
【００３４】
シート固定部７は、仕切部材６と一体的に形成され、上記前後方向に延びる棒状の部材である。このシート固定部７は、ベース部７０と、シート当接部７１とを有している。ベース部７０は、上記前後方向に沿って延びる板状の部位であり、前後方向の両端の一方が仕切部材６の天壁部６１ｃに固定された状態で開口部６１ｄに配設されている。シート当接部７１は、ベース部７０の下面から下方に向けて突設される部位であり、ベース部７０に沿って上記前後方向に沿って延びている。このシート当接部７１は、中敷シート９に上方から当接することにより、中敷シート９を容器本体２に対して固定している。
【００３５】
このようなシート固定部７は、ベース部７０の一端が仕切部材６の天壁部６１ｃに固定されることに支持されている。つまり、シート固定部７は、上記前後方向における両方の端部のうちの一方が仕切部材６に対して固定されることにより片持ち支持されている。このため、シート固定部７の上記前後方向における両方の端部のうちの他方は、仕切部材６の天壁部６１ｃと上記前後方向に離間された状態とされている。このように、シート固定部７の他方側の端部と天壁部６１ｃとが離間されることにより、例えば図２に示すように、シート固定部７の下方に対して中敷シート９を出し入れするための差込スリットＳが形成されている。
【００３６】
中皿８は、アイライナーやほほ紅等の粉物、あるいは、口紅等の練り物を内容物として収容する皿である。本実施形態のコンパクト容器１は、中皿８として、左側収容部Ｒａの右側の領域に配設される大型中皿８０と、右側収容部Ｒｂの左側の領域に複数配設される小型中皿８１とを有している。これらの大型中皿８０と小型中皿８１とは、異なる内容物を収容している。つまり、本実施形態のコンパクト容器１では、仕切部材６の中央区画壁６１（すなわちシート固定部７）を境として容器本体２の左側収容部Ｒａと右側収容部Ｒｂとに異なる内容物が収容されており、凹部２５に複数種の内容物が収容されている。例えば、容器本体２の左側収容部Ｒａに配設される大型中皿８０には口紅が収容され、容器本体２の右側収容部Ｒｂに配設される小型中皿８１にはアイライナーやほほ紅が収容される。また、左側収容部Ｒａと右側収容部Ｒｂとの一方に配設される中皿８にウェットタイプのファンデーションを収容し、他方に配設される中皿８にドライタイプのファンデーションを収容しても良い。
【００３７】
中敷シート９は、容器本体２の凹部２５を覆うためのシート体であり、シート成形（サーモフォーミング成形）によって形成された成形部材である。図５に示すように、中敷シート９は、上記左右方向の中央部に、上記前後方向に沿って全域にわたって形成される折曲部９０を有している。この折曲部９０は、図５（ｂ）に示すように、下方に向けて突出するようにして湾曲された部位であり、中敷シート９を２つに折曲変形可能とされている。これにより、左側部位９１（一方側の部位）と右側部位９２（他方側の部位）とを分けて容易に開閉可能としている。また、図３に示すように、折曲部９０は、シート固定部７が上方から当接される部位である。また、折曲部９０の上記前後方向における長さ寸法は、左側部位９１と右側部位９２の同方向における長さ寸法よりも短く設定されている。このように折曲部９０がシート固定部７により固定されることにより、中敷シート９は、シート固定部７を介して容器本体２に固定されている。
【００３８】
また、中敷シート９の左側部位９１は、容器本体２の左側収容部Ｒａを覆う部位である。中敷シート９の右側部位９２は、容器本体２の右側収容部Ｒｂを覆う部位である。つまり、中敷シート９は、左側部位９１と右側部位９２とが異なる内容物が収容された領域を覆っている。
【００３９】
中敷シート９の左側部位９１の折曲部９０と反対側の縁部の中央部には、左側に突設される左側取手部９３が設けられている。この左側取手部９３は、左側の先端が斜め上方を向くように反って形成されており、容易に摘むことが可能とされている。また、左側取手部９３の根元部分には、左方向に水平に突出する左側係止片９４が形成されている。この左側係止片９４は、中敷シート９の左側部位９１が容器本体２の左側収容部Ｒａを覆う姿勢であるときに、左側シート係止爪６０ｃの下方に挿入されると共に係止される部位である。つまり、左側係止片９４は、容器本体２に固定された仕切部材６の左側シート係止爪６０ｃに対して離脱自在に係止される。
【００４０】
中敷シート９の右側部位９２の折曲部９０と反対側の縁部の中央部には、右側に突設される右側取手部９５が設けられている。この右側取手部９５は、右側の先端が斜め上方を向くように反って形成されており、容易に摘むことが可能とされている。また、右側取手部９５の根元部分には、左方向に水平に突出する右側係止片９６が形成されている。この右側係止片９６は、中敷シート９の右側部位９２が容器本体２の右側収容部Ｒｂを覆う姿勢であるときに、右側シート係止爪６０ｅの下方に挿入されると共に係止される部位である。つまり、右側係止片９６は、容器本体２に固定された仕切部材６の右側シート係止爪６０ｅに対して離脱自在に係止される。
【００４１】
このように中敷シート９の左側部位９１と右側部位９２とには、それぞれに係止片（左側係止片９４と右側係止片９６）が設けられている。さらに、中敷シート９の左側部位９１と右側部位９２とには、それぞれに取手部（左側取手部９３と右側取手部９５）が設けられており、これらの取手部を摘まんで上方に引き上げることで、係止片（左側係止片９４と右側係止片９６）の仕切部材６に対する係止が外れる。
【００４２】
このような構成の本実施形態のコンパクト容器１では、蓋体３を開くと、容器本体２の凹部２５が中敷シート９で覆われている。ここで、例えば小型中皿８１に収容された内容物を使用する場合には、中敷シート９の右側取手部９５を摘み、引き上げる。これにより、図６に示すように、中敷シート９の右側係止片９６が仕切部材６の右側シート係止爪６０ｅから外れ、中敷シート９の左側部位９１及び右側部位９２のうち、右側部位９２のみを容器本体２から離間するように開くことができる。一方、大型中皿８０に収容された内容物を使用する場合には、中敷シート９の左側取手部９３を摘み、引き上げる。これにより、中敷シート９の左側係止片９４が仕切部材６の左側シート係止爪６０ｃから外れ、中敷シート９の左側部位９１及び右側部位９２のうち、左側部位９１のみを容器本体２から離間するように開くことができる。
【００４３】
以上のような本実施形態のコンパクト容器１は、複数種の内容物が収容された凹部２５を有する容器本体２と、容器本体２に開閉自在に連結された蓋体３と、容器本体２と蓋体３との間に配設され、凹部２５を覆う中敷シート９と、を備えている。さらに、中敷シート９は、中敷シート９の表面に沿う方向のうちの一方向である上記前後方向に延びるシート固定部７を介して容器本体２に固定され、シート固定部７を境として左側部位９１と右側部位９２とが異なる内容物が収容された領域を覆っている。このような本実施形態のコンパクト容器１によれば、上記前後方向に延びるシート固定部７を介して中敷シート９が容器本体２に対して固定されているため、シート固定部７を境として中敷シート９の左側部位９１と右側部位９２とを別個に開閉することができる。
【００４４】
このような本実施形態のコンパクト容器１によれば、中敷シート９の左側部位９１及び右側部位９２の一方側のみを内容物を露出させるように開くことにより、左側部位９１及び右側部位９２の他方側によって覆われた内容物を露出させることなく、中敷シートの左側部位９１及び右側部位９２の一方側によって覆われていた内容物のみを露出させることができる。これにより、凹部２５に収容された複数種の内容物同士が混ざり合うことを抑止することができる。
【００４５】
また、本実施形態のコンパクト容器１においては、中敷シート９の左側部位９１と右側部位９２とのそれぞれに、仕切部材６に対して離脱自在に係止される係止片（左側係止片９４と右側係止片９６）が形成されている。このため、中敷シート９の左側部位９１及び右側部位９２の一方側のみを開く場合であっても、左側部位９１及び右側部位９２の他方側を仕切部材６に対して係止させておくことができ、左側部位９１及び右側部位９２の一方側の開放動作に伴って他方側が意図せずに仕切部材６から外れることを防止することができる。したがって、より確実に凹部２５に収容された複数種の内容物同士が混ざり合うことを抑止することができる。また、中敷シート９の左側部位９１及び右側部位９２の両方の係止片を仕切部材６に係止させておくことにより、蓋体３を容器本体２に対して開閉させる際に意図せず中敷シート９が仕切部材６から外れることを防止することができる。
【００４６】
また、本実施形態のコンパクト容器１においては、中敷シート９の左側部位９１及び右側部位９２のそれぞれに、係止片（左側係止片９４と右側係止片９６）の仕切部材６に対する係止を外す取手部（左側取手部９３と右側取手部９５）が形成されている。このため、取手部（左側取手部９３と右側取手部９５）を摘む等して引くことによって、係止片（左側係止片９４と右側係止片９６）を仕切部材６から容易に取り外すことができ、容易に中敷シート９を開くことができる。
【００４７】
また、本実施形態のコンパクト容器においては、中敷シート９は、上記前後方向に沿って全長にわたって延びると共に中敷シート９を２つに折曲変形可能な折曲部９０を有し、折曲部９０がシート固定部７により固定されている。このため、折曲部９０を境として中敷シート９を容易に開閉することができる。さらに、折曲部９０がシート固定部７により固定されているため、中敷シート９は、シート固定部７を境として容易に左側部位９１と右側部位９２とに分けて開閉することができる。
【００４８】
また、本実施形態のコンパクト容器１では、容器本体２の底壁部２０に支持されると共に凹部２５を複数の領域に区画する仕切部材６を有し、シート固定部７が、仕切部材６に片持ち支持されている。このため、シート固定部７の仕切部材６に固定されていない側の端部側に差込スリットＳが形成され、図７に示すように、この差込スリットＳからシート固定部７と容器本体２の底壁部２０との間に中敷シート９の折曲部９０を容易に差し込むことができる。また、シート固定部７と容器本体２の底壁部２０との間に差し込まれた中敷シート９を、差込スリットＳから容易に引き抜くことができる。このため、中敷シート９を容器本体２に対して容易に着脱することができ、使用者が中敷シート９の操作に煩わしさを感じる場合には中敷シート９を除去することもできる。
【００４９】
以上、本発明に係るコンパクト容器の実施の形態について説明したが、本発明は上述の実施の形態に限定されるものではなく、その趣旨を逸脱しない範囲で適宜変更可能である。
例えば、上記実施形態において、容器本体２の左側収容部Ｒａに大型中皿８０を配設し、右側収容部Ｒｂに小型中皿８１を配設する構成を採用した。しかしながら、本発明はこれに限定されるものではなく、左側収容部Ｒａと右側収容部Ｒｂとの異なる種類の内容物が収容されるのであれば、中皿８の大きさやレイアウトは任意に変更可能である。
【００５０】
また、上記実施形態においては、中敷シート９の左側部位９１と右側部位９２とのそれぞれに、係止片（左側係止片９４と右側係止片９６）と取手部（左側取手部９３と右側取手部９５）とを設ける構成について説明した。しかしながら、本発明はこれに限定されるものではなく、係止片や取手部を省略する構成を採用することも可能である。
【００５１】
また、上記実施形態においては、中敷シート９の係止片（左側係止片９４と右側係止片９６）が係止される係止爪（左側シート係止爪６０ｃと右側シート係止爪６０ｅ）が仕切部材６に形成された構成について説明した。しかしながら、本発明はこれに限定されるものではなく、容器本体２に対して係止爪を形成する構成を採用することも可能である。
【００５２】
また、上記実施形態においては、中敷シート９が折曲部９０を有する構成について説明した。しかしながら、本発明はこれに限定されるものではなく、中敷シート９を、折曲部９０を有していない平板状に形成することも可能である。このような場合であっても、シート固定部７を境として中敷シート９を開閉することはできる。
【００５３】
また、上記実施形態においては、仕切部材６にシート固定部７が片持ち支持される構成について説明した。しかしながら、本発明はこれに限定されるものではなく、中敷シート９を容易に着脱する必要がない場合には、仕切部材６にシート固定部７の両端が固定された構成を採用することもできる。このような場合には、仕切部材６を容器本体２に装着する前にシート固定部７に対して中敷シート９を当て、仕切部材６と中敷シート９とを合わせて容器本体２に装着するようにすれば良い。
【００５４】
また、図８に示すように、差込スリットＳに対応する部分に中央区画壁６１に連続する傾斜壁６２を設置するようにしても良い。この傾斜壁６２は、上記前後方向における後側から前側に向けて中央区画壁６１から延出すると共に、前側端部が後側端部よりも下側に位置するように水平面に対して傾斜されている。このような傾斜壁６２を備えることにより、中敷シート９の折曲部９０を傾斜壁６２の上面に沿ってスライドさせながら、中敷シート９を差込スリットＳに差し込むことができ、中敷シート９の装着作業が容易となる。また、傾斜壁６２によって差込スリットＳが狭まり、装着された中敷シート９が意図せずに差込スリットＳから抜け出すことを防止することができる。ただし、傾斜壁６２によって差込スリットＳが狭まった場合であっても、折曲部９０を除く部位（例えば左側部位９１や右側部位９２）を摘むことによって中敷シート９を引き出すことは容易に行える。したがって、傾斜壁６２によって差込スリットＳが狭まっても、中敷シート９の引出作業は容易に行うことができる。
【符号の説明】
【００５５】
１  コンパクト容器
２  容器本体
３  蓋体
６  仕切部材
７  シート固定部（固定部）
９  中敷シート
２０  底壁部（底部）
２５  凹部（収容部）
９０  折曲部
９１  左側部位（一方側の部位）
９２  右側部位（他方側の部位）
９３  左側取手部（取手部）
９４  左側係止片（係止片）
９５  右側取手部（取手部）
９６  右側係止片（係止片）
Ｒａ  左側収容部
Ｒｂ  右側収容部
【図１】
0006667291.tif 000002
【図２】
0006667291.tif 000003
【図３】
0006667291.tif 000004
【図４】
0006667291.tif 000005
【図５】
0006667291.tif 000006
【図６】
0006667291.tif 000007
【図７】
0006667291.tif 000008
【図８】
0006667291.tif 000009